(57)【要約】【課題】建物に住む人の健康に対する更なる被害を食い止めることができ、しかも、建材や家具、家具用部材等に含まれるホルムアルデヒド等の有害化学物質を短時間で効果的に除去することができる有害化学物質除去設備を提供する。【解決手段】ホルムアルデヒド等の有害化学物質で汚染された物を設置する処理室１が備えられ、処理室１には排気口２と空気取入れ口３とが設けられ、両口２，３は処理室１の外で連通路４で連通され、連通路４には、処理室１内の空気を連通路４を通じて循環させるファン１０，１１と、循環する空気を通して有害化学物質を吸着除去する多孔質材１３とが備えられ、そして、多孔質材１３を通過した後であって、空気取入れ口３から処理室１内に取り入れられる前の循環空気を加湿する加湿器１４が備えられている。【選択図】      図１
2004301406.tif 000002
【特許請求の範囲】
【請求項１】
ホルムアルデヒド等の有害化学物質で汚染された物を設置する処理室が備えられ、
該処理室には排気口と空気取入れ口とが設けられ、排気口と空気取入れ口とは処理室の外で連通路により連通され、
連通路には、処理室内の空気を連通路を通じて循環させるファンと、循環する空気を通してホルムアルデヒド等の有害化学物質を吸着除去する多孔質材とが備えられ、かつ、
多孔質材を通過した後であって、空気取入れ口から処理室内に取り入れられる前の循環空気を加湿する加湿手段が備えられていることを特徴とするホルムアルデヒド等の有害化学物質除去設備。
【請求項２】
前記空気取入れ口が処理室の低所に備えられると共に、排気口が処理室の高所に備えられ、かつ、多孔質材を通過した後であって、空気取入れ口から処理室内に取り入れられる前の循環空気を加温する加熱手段が備えられている請求項１に記載のホルムアルデヒド等の有害化学物質除去設備。
【請求項３】
加熱手段で加温された空気が空気取入れ口を通じて処理室内に横向きに吹き出すようになされている請求項２に記載のホルムアルデヒド等の有害化学物質除去設備。
【請求項４】
処理室の天井部が下天井材で構成されて下天井裏空間部が連通路の一部を構成し、該下天井材は多孔質材からなって排気口を兼ねている請求項２又は３に記載の有害化学物質除去設備。
【発明の詳細な説明】
【０００１】
【発明の属する技術分野】
本発明は、ホルムアルデヒド等の有害化学物質除去設備に関する。
【０００２】
【従来の技術及び課題】
住宅等の建物の建築に用いられる建具や造作材などの建材、あるいは、家具、家具用部材等が、ホルムアルデヒド等の有害化学物質で汚染されているような場合に、それらの建材や家具が設置された建物の内部でその有害化学物質を除去することは従来より行われている。
【０００３】
しかしながら、その方法では、有害化学物質が除去されるまでの間に、建物に住む人の健康に更なる被害を及ぼしてしまうおそれがある場合があり、そのため、事前にその有害化学物質を除去したり、あるいは、既に建築に用いられた建材を取り外して、事後的に有害化学物質を除去するのが好ましいが、有害化学物質を除去するには時間を要し、そのため、そのような設備は提供されていない。
【０００４】
本発明は、そのような背景において、建物に住む人の健康への更なる被害を食い止めることができ、しかも、建材や家具、家具用部材等に含まれるホルムアルデヒド等の有害化学物質を短時間で効果的に除去することができる有害化学物質除去設備を提供することを課題とする。
【０００５】
【課題を解決するための手段】
上記の課題は、ホルムアルデヒド等の有害化学物質で汚染された物を設置する処理室が備えられ、
該処理室には排気口と空気取入れ口とが設けられ、排気口と空気取入れ口とは処理室の外で連通路により連通され、
連通路には、処理室内の空気を連通路を通じて循環させるファンと、循環する空気を通してホルムアルデヒド等の有害化学物質を吸着除去する多孔質材とが備えられ、かつ、
多孔質材を通過した後であって、空気取入れ口から処理室内に取り入れられる前の循環空気を加湿する加湿手段が備えられていることを特徴とするホルムアルデヒド等の有害化学物質除去設備によって解決される。
【０００６】
この設備では、処理室に有害化学物質で汚染された物を設置し、ファンを駆動することで、汚染物から処理室内に放散した有害化学物質が排気口を通じて連通路に送り込まれ、多孔質材を通過することで該多孔質材に吸着されて除去され、有害化学物質の含まれないきれいな空気が空気取入れ口を通じて処理室に返流されるという空気の循環流れが形成され、この循環流れによって、汚染物に含まれていた有害化学物質が除去されていく。このように、本設備を用いることによって、有害化学物質で汚染された物を処理室に設置し、有害化学物質の除去を行うことができので、建物内部で有害化学物質を除去する場合に比べて、建物に住む人の健康への更なる被害を食い止めることができる。
【０００７】
しかも、本発明の設備では、多孔質材を通過した後であって、空気取入れ口から処理室内に取り入れられる前の循環空気を加湿する加湿手段が備えられているので、有害化学物質を短時間で効果的に除去することができる。
【０００８】
即ち、本発明者らは、種々の調査と研究、そして実験を重ねていく過程で、活性炭などの多孔質材には室内の空気の湿度を調節する調湿機能があり、室内の湿度を高くすると多孔質材の調湿作用でその湿度が低くなっていくとの技術情報に基づいて、理論的予測のもとで、有害化学物質の含まれる空間部に多孔質材を設置し、空間部の湿度を加湿器で高くするという実験を行ったところ、空間部に含まれていた有害化学物質も、有害化学物質で汚染されていた部位の有害化学物質も短時間のうちに消失してしまうという結果を得た。
【０００９】
この現象は、次のような理由によって起こるものと考えられる。有害化学物質で汚染された空間部が加湿されると、空気中の水分が多孔質材に促進的に吸湿されていく。そのため、水分に溶解しやすいホルムアルデヒドや、水にいくらか溶けるエチルベンゼンやスチレンについては、加湿された空気中の水分に溶け込み、その水分を多孔質材が吸湿することによって、多孔質材へのこれら有害化学物質の吸着が促進される。また、水分に溶解しないとされるトルエンやキシレン、あるいは、水分に溶け込めなかったエチルベンゼンやスチレンについては、加湿された空気中の水分が多孔質材に吸湿されていく際に、その水分に連れられていくことによって多孔質材への吸着が促進されるものと推察される。こうして、加湿手段を採用することにより、有害化学物質を短時間で効果的に除去することができる。
【００１０】
とりわけ、本発明の設備は、単に加湿手段が備えられているというだけではなく、加湿手段が、多孔質材を通過した後であって、空気取入れ口から処理室内に取り入れられる前の循環空気を加湿するように備えられている。そのため、空気の循環において、処理室に入っていくすべての空気が加湿空気であり、処理室内の広い範囲にわたって加湿空気を及ぼすことができ、例えば処理室に加湿器を設置して加湿を行うような場合に比べて処理室内をムラ少なく均等に加湿することができ、有害化学物質を効果的に除去することができる。
【００１１】
空気取入れ口が処理室の低所に備えられると共に、排気口が処理室の高所に備えられ、かつ、多孔質材を通過した後であって、空気取入れ口から処理室内に取り入れられる前の循環空気を加温する加熱手段が備えられているとよい。
【００１２】
この場合は、処理室に加温された空気が取り込まれることによって、処理室内における有害化学物質の放散が促進され、有害化学物質を短時間で除去することができるのみならず、加温による空気の上昇で、加湿された空気を低所から高所へとムラ少なく行きわたらせることができて、有害化学物質を効果的に除去することができる。特に、加熱手段で加温された空気が空気取入れ口を通じて処理室内に横向きに吹き出すようになされている場合は、処理室内を広い範囲にわたってムラなく加湿加温することができる。
【００１３】
その場合に、処理室の天井部が下天井材で構成されて下天井裏空間部が連通路の一部を構成し、該下天井材は多孔質材からなって排気口を兼ねている場合は、処理室の広い天井部を利用して有害化学物質を効果的に除去することができる。
【００１４】
【発明の実施の形態】
次に、本発明の実施形態を図面に基づいて説明する。
【００１５】
図１に示す有害化学物質除去設備において、１は処理室であり、処理室１には、排気口２と空気取入れ口３とが設けられ、排気口２と空気取入れ口３とは処理室１の外で連通路４により連通されている。
【００１６】
本実施形態では、処理室１に隣接して壁５で仕切られた隣室６が備えられ、この壁５の低所に空気取入れ口３が設けられ、処理室１と隣室６とを連通している。また、処理室１の天井部は下天井材７で形成されていて下天井裏空間部８が備えられ、排気口２は、下天井材７において、空気取入れ口３との関係で空気取入れ口３との間に処理室１内の空間部を広く挟むような位置、即ち、空気取入れ口３から処理室１に取り入れられる空気が処理室１内の空間部を広く巡って排気口２に向かうことができるような位置に備えられ、処理室１と下天井裏空間部８とを連通している。更に、下天井裏空間部８と隣室６とは設備天井部においてダクト９で連通され、それによって、下天井裏空間部８とダクト９と隣室６とで上記連通路４が形成されている。
【００１７】
更に、ダクト９には第１ファン１０が設置されると共に、空気取入れ口３の隣室６側には第２ファン１１が設置され、これらファン１０，１１を駆動することにより、矢印で示すように、処理室１内の空気が、排気口２、下天井裏空間部８、ダクト９、隣室６、空気取入れ口３を通じて、処理室１内に戻る空気の循環流れが形成されるようになされている。
【００１８】
そして、隣室６には、下方に空間部１２をおくようにして、多孔質材としてのカーボンパネル１３が設置され、ダクト９から隣室６内に送られてくる空気が、カーボンパネル１３内を通過し、下空間部１２を介して空気取入れ口３から処理室１内に送り込まれるようになされている。
【００１９】
更に、カーボンパネル１３の下方の下空間部１２内には、加湿手段としての加湿器１４と、加熱手段としてのヒーター１５とが設置され、カーボンパネル１３を通過して有害化学物質を除去されたきれいな空気が、加湿器１４によって加湿されると共に、ヒーター１５で加熱され、加湿加温された空気が取入れ口３を通じて処理室１内に送り込まれるようになされている。
【００２０】
なお、本実施形態では、下天井材７が、多孔質材からなるカーボンパネルで構成されていて、処理室１内の空気が、排気口２を通じて下天井裏空間部８に送り込まれるのと併せて、下天井材７そのものを通過して下天井裏空間部８に送り込まれるようになされている。また、図示はしないが、処理室１内や下天井裏空間部８内、ダクト９内、隣室６内の空気の熱が設備の外に逃げないように、断熱処理がなされている。
【００２１】
上記の設備では、図２に示すように、例えば建具材や造作材などの建材１６…を台車１７に載せて処理室１内に設置し、第１、第２の各ファン１０，１１を駆動すると共に、加湿器１４とヒーター１５を駆動すると、処理室１内において建材１６…から放散するホルムアルデヒド等の有害化学物質を含んだ空気が下天井材７の排気口２を通じて下天井裏空間部８に排気され、ダクト９を通じて隣室６に送り込まれ、隣室６のカーボンパネル１３を通過して有害化学物質が除去され、下空間部１２で加湿加温され、空気取入れ口３を通じて処理室１に有害化学物質の含まれないきれいな空気が返され、この空気の循環流れによって、建材１６…から処理室１内に放散される有害化学物質が除去され、設備を用いた建材１６…の処理を通じて、建物に住む人の健康に対する更なる被害を食い止めることができる。
【００２２】
特に、循環流れを形成する空気は加湿器１４によって加湿されるので、隣室６のカーボンパネル１３の吸湿作用によって循環空気中の有害化学物質は短時間で効果的に除去されていく。とりわけ、加湿器１４は、隣室６のカーボンパネル１３を通過した後であって、空気取入れ口３から処理室１内に取り入れられる前の循環空気を加湿するようになされているので、空気の循環流れのなかで処理室１に加湿器１４を備えさせて加湿を行うような場合に比べて、加湿された空気を処理室１にムラ少なく広がらせることができ、有害化学物質を加湿空気中にムラ少なく分散させることができて、建材１６…から放散する有害化学物質を隣室６のカーボンパネル１３に効果的に吸着除去させることができる。
【００２３】
しかも、本実施形態では、循環流れを形成する空気はヒーター１５によって加温されるので、処理室１に設置された建材１６…からの有害化学物質の放散が促進され、建材１６…に含まれている有害化学物質を短時間で効果的に除去することができる。とりわけ、ヒーター１５は、隣室６のカーボンパネル１３を通過した後であって、空気取入れ口３から処理室１内に取り入れられる前の循環空気を加温するようになされているので、空気の循環流れのなかで処理室１にヒーター１５を備えさせて加温を行うような場合に比べて、加温された空気を処理室１にムラ少なく広がらせることができ、処理室１内の建材１６…からの有害化学物質の放散をムラの少ないものにすることができる。
【００２４】
また、本実施形態のように、空気を加温する場合に、処理室１の低所に空気取入れ口３を設けて空気が横向きに吹き出すようにし、高所に排気口２を設ける構造とすることにより、ゆっくりとした空気の循環流れにおいて、加湿空気を処理室１内の低所から高所へと、また、広い範囲にわたってムラ少なく行きわたらせることができ、建材１６…からの有害化学物質の放散を効果的に促進することができると共に、加湿された空気に有害化学物質を効果的に分散させることができてカーボンパネル１３に有害化学物質を効果的に吸着除去させることができる。
【００２５】
更に、本実施形態では、下天井材７をカーボンパネルとし、処理室１内の空気が下天井材７そのものを通過して下天井裏空間部８に流れ込むようになされているので、その段階においても有害化学物質を効果的に除去することができる。
【００２６】
以上に、本発明の実施形態を示したが、本発明はこれに限られるものではなく、発明思想を逸脱しない範囲で各種の変更が可能である。例えば、図示しないけれども、上記の実施形態において、処理室１内に温度センサーと湿度センサーとを設置し、加湿器１４とヒーター１５による加湿と加温をコントローラーで自動制御することにより、処理室１内が有害化学物質の除去に好適な温湿度に維持されるようにするのもよい。また、上記の実施形態では、多孔質材としてカーボンパネルを用いた場合を示しているが、多孔質材は、セラミック炭や活性炭などの各種カーボン系多孔質材やゼオライトなどであってよいし、また、その形態もパネル状のもののほか、シート状のものであってもよい。要は、ホルムアルデヒド等の有害化学物質を吸着除去しうる能力と吸湿能力とを備えたものであればよい。また、本発明の設備は、上記の実施形態において、下天井材７にカーボンパネルを使用し、隣室６内のカーボンパネル１３は省略した構造の設備も含み、その場合は、カーボンパネルからなる下天井材７そのものが排気口を兼ねると共に、連通路に備えられる多孔質材として機能する。また、本発明の設備による処理対象は、建材に限らず、家具や家具用の部材などであってもよく、要は、ホルムアルデヒド等の有害化学物質で汚染された各種の物であればよい。
【００２７】
【発明の効果】
本発明は、以上のとおりのものであるから、建物に住む人の健康への更なる被害を食い止めることができ、しかも、建材や家具、家具用部材等に含まれるホルムアルデヒド等の有害化学物質を短時間で効果的に除去することができる。
【図面の簡単な説明】
【図１】実施形態の設備を示す断面側面図である。
【図２】同設備を用いて有害化学物質の除去を行っている状態の断面側面図である。
【符号の説明】
１…処理室
２…排気口
３…空気取入れ口
４…連通路
７…下天井材
１０…第１ファン
１１…第２ファン
１３…カーボンパネル（多孔質材）
１４…加湿器（加湿手段）
１５…ヒーター（加熱手段）
【図１】
2004301406.tif 000003
【図２】
2004301406.tif 000004